(57)【要約】      （修正有）【課題】摩擦力の大きいフィルム及びフィルム製手袋を提供する。【解決手段】フィルム本体１を含むフィルムにおいて、フィルム本体は、一方の面にチャック２が分布し、又は一方の面にチャックが分布し、他方の面に反チャックが分布しており、チャックの内に凸起３が設置されており、チャックは、金型によってフィルム本体の一方側から他方側に向けてプレスされたものであり、フィルム本体の他方側に反チャックが形成される。フィルム本体にチャックを設置することで、チャックの原理によって、手袋をグラス等の滑らかな物体に明らかに吸着できることである。【選択図】図２
0003196098.tif 000002
【実用新案登録請求の範囲】
【請求項１】
フィルム本体を含むフィルムにおいて、前記フィルム本体は、一方の面にチャックが分布し、又は一方の面にチャックが分布し、他方の面に反チャックが分布しており、チャックの内に凸起が設置されており、チャックは、金型によってフィルム本体の一方側から他方側に向けてプレスされたものであり、フィルム本体の他方側に反チャックが形成される、ことを特徴とするフィルム。
【請求項２】
前記チャックは、四角形、円形、三角形、菱形、五角形、六角形又は以上の図形の組合せを呈することを特徴とする請求項１に記載のフィルム。
【請求項３】
前記凸起は、形状がチャックと同じであることを特徴とする請求項２に記載のフィルム。
【請求項４】
前記四角形のチャックは、辺の長さが０．５〜４．０ｍｍであることを特徴とする請求項２に記載のフィルム。
【請求項５】
前記凸起には、さらに凸点が設置されていることを特徴とする請求項１に記載のフィルム。
【請求項６】
前記隣り合うチャックは、中心の間の距離が１．０〜４．０ｍｍであることを特徴とする請求項１に記載のフィルム。
【請求項７】
前記反チャックの高さとフィルム本体の厚みとの比は６．５〜７．５：２．５〜３．５であることを特徴とする請求項１に記載のフィルム。
【請求項８】
二枚のハンド形を呈する請求項１に記載のフィルムが貼り合わせられたことを特徴とする手袋。
【考案の詳細な説明】
【技術分野】
【０００１】
本考案は、フィルム及びフィルム製手袋に関する。
【背景技術】
【０００２】
従来の手袋は、その構造として、手袋の摩擦力を高めるための凸点が分布したフィルムにより作製された手袋本体を含むのは一般的であるが、実際に使用する時に、手袋を着用してグラスを持つと、グラスがしっかり握られないとはっきり感じられる。
【考案の概要】
【考案が解決しようとする課題】
【０００３】
本考案が解決しようとする技術的課題は、摩擦力の大きいフィルム及びフィルム製手袋を提供することである。
【課題を解決するための手段】
【０００４】
前記技術的課題を解決するために、本考案は、フィルム本体を含むフィルムにおいて、前記フィルム本体は、一方の面にチャックが分布し、又は一方の面にチャックが分布し、他方の面に反チャックが分布しており、チャックの内に凸起が設置されており、チャックは、金型によってフィルム本体の一方側から他方側に向けてプレスされたものであり、フィルム本体の他方側に反チャックが形成される、フィルムという技術手段を採用する。
【０００５】
前記チャックは四角形、円形、三角形、菱形、五角形、六角形又は以上の図形の組合せを呈する。
【０００６】
前記凸起は、形状がチャックと同じである。
【０００７】
前記四角形のチャックは、辺の長さが０．５〜４．０ｍｍである。
【０００８】
前記凸起には、さらに凸点が設置されている。
【０００９】
前記隣り合うチャックは、中心の間の距離が１．０〜４．０ｍｍである。
【００１０】
前記反チャックの高さとフィルム本体の厚みとの比は６．５〜７．５：２．５〜３．５である。
【００１１】
二枚のハンド形を呈するフィルムが貼り合わせられた手袋である。
【００１２】
本考案の有利な効果は、フィルム本体にチャックを設置することでその摩擦力を高めることができ、チャックの原理によって、手袋をグラス等の滑らかな物体に明らかに吸着できることである。
【図面の簡単な説明】
【００１３】
【図１】本考案にかかる手袋の外観図である。
【図２】図１においてチャックが四角形である場合のＡ部の拡大斜視図、即ちフィルムのある部分図である。
【図３】図２の前面図である。
【図４】図３のＢ−Ｂ断面図である。
【図５】図１においてチャックが円形である場合のＡ部の拡大斜視図、即ちフィルムのある部分図である。
【図６】図５の前面図である。
【図７】図６のＣ−Ｃ断面図である。
【図８】図１においてチャックが三角形である場合のＡ部の拡大斜視図、即ちフィルムのある部分図である。
【図９】図８の前面図である。
【図１０】図９のＤ−Ｄ断面図である。
【図１１】図１においてチャックが菱形である場合のＡ部の拡大斜視図、即ちフィルムのある部分図である。
【図１２】図１１の前面図である。
【図１３】図１２のＥ−Ｅ断面図である。
【図１４】図１においてチャックが六角形である場合のＡ部の拡大斜視図、即ちフィルムのある部分図である。
【図１５】図１４の前面図である。
【図１６】図１５のＦ−Ｆ断面図である。
【考案を実施するための形態】
【００１４】
以下、図面を参照しながら、本考案の具体的な実施形態を詳しく説明する。
【００１５】
フィルム本体１を含むフィルムにおいて、前記フィルム本体１は、一方の面にチャック２が分布し、又は一方の面にチャック２が分布し、他方の面に反チャック５が分布しており、チャック２に凸起３が設置されており、チャック２は、金型によってフィルム本体１の一方側から他方側に向けてプレスされたものであり、フィルム本体１の他方側に反チャック５が形成される。反チャック５付きフィルム本体１において、フィルム本体１の両方の面は、いずれも摩擦力が大きいが、フィルム本体１のチャック２のある側は、反チャック５のある側よりも摩擦力が大きい。図２、図３及び図４に示すように、チャック２のある実施態様により、チャック２は四角形を呈する。図５、図６及び図７に示すように、チャック２は円形を呈してもよい。図８、図９及び図１０に示すように、チャック２は三角形を呈する。図１１、図１２及び図１３に示すように、チャック２は菱形を呈する。図１４、図１５及び図１６に示すように、チャック２は六角形を呈する。無論、実際に作製する時に、チャックは他の形状、例えば五角形又は他の非通常の図形であってもよい。チャック２による吸着力及びフィルム本体１と物体との間の摩擦力をさらに高めるために、前記チャック２の内に凸起３が設置されている。美観、金型の作製に便利なために、前記凸起３は形状がチャック２と同じであり、即ち、チャック２が四角形であると、凸起３も四角形であり、このように順次に類推する。摩擦力をより一層高めるために、前記凸起３には、凸点４がさらに設置されている。レイアウトを合理にし、チャックの作用を十分に高めるために、前記隣り合うチャック２は、中心の間の距離が１．０〜４．０ｍｍである。そのうち、前記四角形のチャック２は、辺の長さが０．５〜４．０ｍｍである。前記反チャック５の高さＨとフィルム本体１の厚みとの比は６．５〜７．５：２．５〜３．５である。図１に示すような手袋は、二枚のハンド形を呈するフィルムが貼り合わせられたものである。フィルム本体１のチャック２のある側は、反チャック５のある側よりも摩擦力が大きいので、通常、手袋に作製された時に、チャック２の側を外に向け、無論内に向けてもよい。このようなフィルムにより作製された手袋を着用して滑らかな物体を持つと滑り難いとはっきり感じられる。
【００１６】
本考案の利点は、フィルム本体１にチャック２が分布することで、チャック２の吸着力によって、フィルムの摩擦力が高められ、この時、本考案の手袋を着用して物体を持つと滑りにくく、大きな摩擦力があるとはっきり感じられることである。
【００１７】
他のタイプの手袋を着用してグラス、プラスチックカップ、食器等の物体を持つ場合、このような手袋を着用して物体を持つと滑りやすく、摩擦力が小さいとはっきり感じられる。本考案に記載の手袋の性能が際立つことを比較するために、規格６２ＭＭ×６２ＭＭの同一段の材料（プラスチックフィルム）の上に、重さが４００ｇのスライダ（スライダの面６２ＭＭ×６２ＭＭ、スライダの上に別に４００ｇのウエイトを追加する）と同一の表面が滑らかなガラス（５００ＭＭ×３３０ＭＭ）を置き、面と面の接触を通して、同一のテンシロンメータを用いて水平で係数を計測するテストを行い、得られたデータは以下の通りである。
【００１８】
【表１】
0003196098.tif 000003
【００１９】
データから見れば、相違が大きくないが、フィルムの分野において、摩擦力が０．０１Ｎ違っても、その手触りははっきり違っている。したがって、その実験のデータは本考案の優れた性能、即ちグラス等の滑らかな物体を握りやすいことを明らかに反映した。
【符号の説明】
【００２０】
１：  フィルム本体
２：  チャック
３：  凸起
４：  凸点
５：  反チャック
【図１】
0003196098.tif 000004
【図２】
0003196098.tif 000005
【図４】
0003196098.tif 000006
【図５】
0003196098.tif 000007
【図６】
0003196098.tif 000008
【図８】
0003196098.tif 000009
【図１０】
0003196098.tif 000010
【図１１】
0003196098.tif 000011
【図１３】
0003196098.tif 000012
【図１４】
0003196098.tif 000013
【図１５】
0003196098.tif 000014
【図３】
0003196098.tif 000015
【図７】
0003196098.tif 000016
【図９】
0003196098.tif 000017
【図１２】
0003196098.tif 000018
【図１６】
0003196098.tif 000019